(57)【特許請求の範囲】
【請求項１】
底面から筒状の排水孔部が下方に突設されたボウルと、
該排水孔部が上方から差し込まれた排水器具と、
該排水器具と該排水孔部との間を封じるパッキンと
を有するボウル設備において、
該排水器具が建物床面又は建物壁面に対し支持部材によって支持されており、
該支持部材には該排水器具が挿入された開口又は切欠よりなる挿通部が設けられており、
該排水器具には、該挿通部の上縁に当接した当接部が設けられていることを特徴とするボウル設備。
【請求項２】
請求項１において、前記支持部材は、開口又は切欠を有した天板と、該開口又は切欠を覆うように該天板に取り付けられた支持板とを有しており、
該挿通部の内周面と前記排水器具の外周面との間にスペースがあいていることを特徴とするボウル設備。
【請求項３】
請求項１において、前記支持部材は天板を有しており、
該挿通部の内周面と前記排水器具の外周面との間にスペースがあいていることを特徴とするボウル設備。
【請求項４】
請求項１ないし３のいずれか１項において、
該当接部は、排水器具から少なくとも放射３方向に延設されていることを特徴とするボウル設備。
【発明の詳細な説明】
【技術分野】
【０００１】
本発明は、洗面器、手洗器、掃除流しなどのボウル設備に関するものであり、詳しくは、洗面鉢又は手洗鉢などのボウル（鉢）の排水孔部と排水器具とを接続したボウル設備に関する。
【背景技術】
【０００２】
洗面器、手洗器、掃除流しなどの排水口と排水管とを接続するには、排水口にフランジ付きアダプタ（管状体）を上方から差し込み、該アダプタ上端の該フランジを該排水口の上縁に係合させ、該アダプタに下方からナットを締め込み、該アダプタを該洗面器又は手洗器に固定し、このアダプタに排水管を接続することが広く行われている。
【０００３】
この接続構造では、フランジが洗面器又は手洗器等の鉢（ボウル）内に露呈するので、フランジと鉢との境界にゴミが溜ったり、フランジが腐食したりすることにより見栄えが悪くなることがあった。
【０００４】
かかる短所を解決するものとして、ボウル底面から下方に短い筒状の排水孔部を突設しこの排水孔部をボウル下側の排水器具に上方から差し込み、パッキンでシールする構造が特許文献１に記載されている。
【先行技術文献】
【特許文献】
【０００５】
【特許文献１】実開平４−１２６９７４
【発明の概要】
【発明が解決しようとする課題】
【０００６】
上記のボウル排水孔部と排水器具との接続構造では、排水器具に下向きに大きな力が加えられると排水器具が排水孔部から外れるおそれがある。
【０００７】
本発明は、ボウルの排水孔部をボウル下側の排水器具に差し込んでパッキンでシールしたボウル設備において、この排水器具が排水孔部から外れることを防止することを目的とする。
【課題を解決するための手段】
【０００８】
請求項１のボウル設備は、底面から筒状の排水孔部が下方に突設されたボウルと、該排水孔部が上方から差し込まれた排水器具と、該排水器具と該排水孔部との間を封じるパッキンとを有するボウル設備において、該排水器具が建物床面又は建物壁面に対し支持部材によって支持されており、該支持部材には該排水器具が挿入された開口又は切欠よりなる挿通部が設けられており、該排水器具には、該挿通部の上縁に当接した当接部が設けられていることを特徴とするものである。
【０００９】
請求項２のボウル設備は、請求項１において、前記支持部材は、開口又は切欠を有した天板と、該開口又は切欠を覆うように該天板に取り付けられた支持板とを有しており、該挿通部の内周面と前記排水器具の外周面との間にスペースがあいていることを特徴とするものである。
【００１０】
請求項３のボウル設備は、請求項１において、前記支持部材は天板を有しており、該挿通部の内周面と前記排水器具の外周面との間にスペースがあいていることを特徴とするものである。
【００１１】
請求項４のボウル設備は、請求項１ないし３のいずれか１項において、該当接部は、排水器具から少なくとも放射３方向に延設されていることを特徴とするものである。
【発明の効果】
【００１２】
本発明のボウル設備にあっては、排水器具が支持部材によって建物床面又は建物壁面に支持されているので、排水器具に大きな力が加えられても排水器具の外れが防止される。
【００１３】
本発明の一態様（請求項２）では、支持部材は、開口又は切欠を有した天板と、該開口又は切欠を覆うように該天板に取り付けられた支持板とを備え、該挿通部の内周面と前記排水器具の外周面との間にスペースがあいている。本発明の別の一態様（請求項３）では、支持部材は天板であり、該挿通部の内周面と前記排水器具の外周面との間にスペースがあいている。
【００１４】
このように挿通部の内周面と排水器具の外周面との間にスペースをあけておくことにより、排水器具の位置調節が容易である。特に、ボウルが陶器製の場合、寸法公差が比較的大きいので、ボウルを支持板に設置したときに排水孔部の位置が設計上の予定位置からずれることがある。請求項２の態様によれば、排水孔部の位置に合わせて排水器具の位置を容易に調節することができる。これにより、該排水器具に設けられたパッキンに局部的に大きな変形が生じることが防止される。
【００１５】
排水器具に設けた当接部をこの挿通部の上縁に当接させることにより、排水器具を支持部材に安定して支持させることができる。また、当接部を少なくとも放射３方向に延設することにより、排水器具を安定させることができる。
【図面の簡単な説明】
【００１６】
【図１】実施の形態に係るボウル設備を示す縦断面図である。
【図２】実施の形態に係るボウル設備を示す分解拡大図である。
【図３】実施の形態に係るボウル設備を示す分解斜視図である。
【図４】排水器具及びパッキンの斜視図である。
【図５】パッキン付き排水器具の平面図である。
【図６】別の実施の形態を示す分解拡大断面図である。
【図７】排水器具と排水管との接続例を示す斜視図である。
【発明を実施するための形態】
【００１７】
以下、図面を参照して実施の形態について説明する。
【００１８】
図１〜５は第１の実施の形態を示すものである。図１の通り、キャビネット１の天板２の上側に陶器製の手洗器３が設置されている。この手洗器３の鉢部（ボウル）底面から下方に短い筒状の排水孔部３ａが突設されている。この排水孔部３ａが排水器具４に上方から差し込まれ、パッキン５によってシールされている。
【００１９】
図２，３の通り、天板２の前縁から切欠部２ａが設けられ、この切欠部２ａを下側から覆うように支持部材としての支持板６が設けられている。この支持板６は好ましくは鋼板など高強度金属板にて構成され、ビス８（図１）によって天板２に留め付けられている。この支持板６には排水器具４の挿通部６ａが設けられている。この実施の形態では、挿通部６ａはキャビネット前後方向に長い長孔よりなる。なお、天板２には、手洗器３を天板２に固定するボルト（図示略）の挿通孔２ｂが設けられている。
【００２０】
図４，５にも示される通り、排水器具４は、上下方向に等径の管状部４ａを有し、この管状部４ａの上側に管状部４ａよりも大径の椀部４ｂが連なっている。椀部４ｂの外周には環状体４ｃが設けられている。椀部４ｂと環状体４ｃとの間の隙間にパッキン５が差し込まれている。そのため、パッキン５は側方から視認されないので、意匠性が良好である。
【００２１】
椀部４ｂの下側には、排水器具４の軸心から見て放射４方向に延在する当接部としてのヒレ部４ｄが設けられている。このヒレ部４ｄは、板面を上下方向とした略三角形板状である。各ヒレ部４ｄの下面は同一高さにある。ヒレ部４ｄの下面レベルにおける椀部４ｂの外径は、挿通部６ａの短径よりも小さいものとなっている。この実施の形態では、各ヒレ部４ｄの放射方向先端側は環状体４ｃと等半径位に位置している。即ち、環状体４ｃの外径と、各ヒレ部４ｄの放射方向先端側を結ぶ円の直径は等しく、この外径及び直径は、挿通部６ａの短径よりも十分に大きい（例えば１．５〜２倍程度）ものとなっている。
【００２２】
椀部４ｂの内部には、異物の落下防止片４ｅが設けられている。椀部４ｂの内径は、手洗器３の排水孔部３ａの外径よりも大きい。
【００２３】
パッキン５は柔軟に伸縮し、耐久性の高いブチルゴム等よりなる。このパッキン５は、椀部４ｂと環状体４ｃとの間に上方から差し込まれる外周環部５ａと、該外周環部５ａの上端に連なる円板状部５ｂと、円板状部５ｂの中心部の開口５ｃとを有している。この円板状部５ｂは、中心側ほど下位となるように若干のテーパがつけられている。円板状部５ｂの下面には、開口５ｃを取り巻く補強用リブ５ｄ（図２）が周設されている。開口５ｃの直径は、手洗器３の排水孔部３ａよりも小さい。
【００２４】
手洗器３を支持板６付きの天板２の上に設置するのに先立って、排水器具４を挿通部６ａに上方から差し込み、ヒレ部４ｄを支持板６の上面に当接させておく。排水器具４には予めパッキン５を装着しておく。
【００２５】
次いで、手洗器３を天板２の上に降ろし、この際、排水孔部３ａをパッキン５の開口５ｃを通して椀部４ｂ内に挿入する。排水孔部３ａをパッキン５の開口５ｃに差し込むと、該開口５ｃの内周面は排水孔部３ａの外周面に水密的に密着する。手洗器３の位置決め後、ボルト（図示略）をボルト挿通孔２ｂの下側から通し、手洗器３を天板２に固定する。排水器具４の外周面と挿通部６ａの内周面との間には第２図の通りスペースがあいているので、この手洗器３の位置決めに際して手洗器３を前後左右に動かしたときに、排水器具４も手洗器３と一体に移動できる。特に、挿通部６ａを前後に長い長孔としているので、手洗器３の前後方向に大きく移動させることができる。
【００２６】
また、排水器具４にヒレ部４ｄが放射４方向に延設され、各ヒレ部４ｄが支持板６の上面に載っているので、排水器具４の姿勢が安定している。例えば、排水器具４を前後左右に動かしても排水器具４が傾くことがない。なお、各ヒレ部４ｄは放射３方向に設けられてもよく、５方向以上に設けられてもよいが、３〜６方向程度が好ましい。
【００２７】
このように排水器具４及び手洗器３を設置した後、該排水器具４を床や壁の排水管に対し接続する。この接続構造は従来と同様であり、特に限定されるものではないが、その一例を図７に示す。排水器具４に対し下方から直管状の接続管１０を外嵌させる。該接続管１０の上端の袋ナット（ユニオンナット）１１を締めると、該接続管１０に設けておいたリング状パッキン（図示略）が縮径し、接続管１０と排水器具４とが水密的に連結される。接続管１０はトラップ管１２及びＪ字形の立下り管１５を介して床排水管（図示略）に接続される。トラップ管１２と接続管１０、立下り管１５とはそれぞれ袋ナット１３，１４によって接続固定される。このように排水管に接続された手洗器設備において、排水器具４に下向き又は横向きに大きな力が加えられても、排水器具４が支持板６によって支持されているので、排水器具４が排水孔部３ａから外れることがない。
【００２８】
この実施の形態では、椀部４ｂの縦断面形状が上方に向って湾曲しながら拡径するものとなっており、椀部４ｂに水が溜る隅角部が存在しない。そのため、黴などの発生が防止される。
【００２９】
図７では床排水管に接続しているが、壁排水管に接続してもよい。
【００３０】
＜別の実施の形態＞
上記実施の形態では、挿通部６ａは前後方向に長い長孔であるが、左右方向に長い長孔としてもよく、管状部４ａよりも大きい略円形の孔であってもよい。また、挿通部６ａは孔ではなく、支持板６の前縁から切り込まれた切欠部であってもよい。
【００３１】
上記実施の形態では、支持板６を用いているが、図６の実施の形態のように、支持板６を省略し、前記天板２と同一構成の天板２’に設けた孔状挿通部２ａ’を前記支持板６の挿通部６ａと同様の形状及び大きさのものとし、排水器具４のヒレ部４ｄを該孔状挿通部２ａ’の上縁に載荷させる構成としてもよい。即ち、天板２’を排水器具４の支持部材として利用するものである。孔状挿通部２ａ’は前記天板２の切欠部２ａと同様の切欠部であってもよい。
【００３２】
本発明では、支持板６や天板２’とは別個に建物の壁や床に支持部材としてのブラケットを取り付け、このブラケットによって排水器具４を支持するようにしてもよい。なお、このブラケットに孔状又は切欠状の排水器具挿通部を設けておく。
【００３３】
本発明は手洗器以外の洗面器、掃除流しなどのボウルの排水孔部と排水器具との接続にも適用できる。
【符号の説明】
【００３４】
１  キャビネット
２  天板
２’  天板（支持部材）
２ａ’  孔状挿通部
３  手洗器
４  排水器具
４ａ  管状部
４ｂ  椀部
４ｃ  環状体
４ｄ  ヒレ部（当接部）
５  パッキン
６  支持板
６ａ  挿通部
【図１】
0005760467.tif 000002
【図２】
0005760467.tif 000003
【図３】
0005760467.tif 000004
【図４】
0005760467.tif 000005
【図５】
0005760467.tif 000006
【図６】
0005760467.tif 000007
【図７】
0005760467.tif 000008